(57)【要約】【課題】Iu Flex方式を適用し且つコンバイン位置登録を行うことの利点は十分に享受しつつ、本来の通信に係るリソースを徒に消費してリソースの逼迫を招来してしまうことのない移動通信システムを提供する。【解決手段】ＳＧＳＮ（＃２−１）１６１が移動端末装置２０からの位置登録要求を送信するＭＳＣを選択する際に、位置登録要求に付帯する一時的なユーザ識別子であるＴＭＳＩ（Ｐ−ＴＭＳＩ）に含まれている直前の過去に在圏していたノード（ＭＳＣ）を表すＮＲＩに依拠してこの選択を行う。このＮＲＩから識別されるＭＳＣは移動端末装置２０に係るプロファイルＰＦを保持しているため、改めてＨＬＲを参照することなく位置登録を行うことが可能である。【選択図】  図１
2012178630.tif 000002
【特許請求の範囲】
【請求項１】
在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムであって、
前記移動端末装置は、該当する何れかの前記無線ネットワーク制御装置を通して対応する前記サービス提供ＧＰＲＳサポートノードに位置登録要求を送信するに際して、自装置が直前の過去に在圏していたノードを表すコードが含まれている一時的なユーザ識別子のうちの少なくとも前記コードの部分を、当該対応する前記サービス提供ＧＰＲＳサポートノードに通知し、
当該対応する前記サービス提供ＧＰＲＳサポートノードは、該通知された一時的なユーザ識別子における前記コードによって表された前記移動体サービス交換センタに位置登録要求を送信することを特徴とする移動通信システム。
【請求項２】
在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムに適用される前記移動端末装置であって、
自装置が直前の過去に在圏していたノードを表すコードが含まれている一時的なユーザ識別子を保持するユーザ識別子保持部と、
対応する前記サービス提供ＧＰＲＳサポートノードに位置登録要求を送信するに際して、前記ユーザ識別子保持部に保持された該当するユーザ識別子のうちの少なくとも前記コードの部分を、該当する前記サービス提供ＧＰＲＳサポートノードに通知する既往在圏ノード情報通知部と、
を備えていることを特徴とする移動端末装置。
【請求項３】
在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムに適用される前記サービス提供ＧＰＲＳサポートノードであって、
該当する前記無線ネットワーク制御装置を通して通知される、前記移動端末装置が直前の過去に在圏していたノードを表すコードが含まれている一時的なユーザ識別子のうちの少なくとも前記コードの部分を受ける既往在圏ノード情報コード受信部と、
前記既往在圏ノード情報コード受信部で受けた前記コードに基づいて当該位置登録要求の送信先とする前記移動体サービス交換センタを選択する位置登録要求送信先選択部と、
を備えていることを特徴とするサービス提供ＧＰＲＳサポートノード。
【請求項４】
在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムにおける移動通信方法であって、
前記移動端末装置が、該当する何れかの前記無線ネットワーク制御装置を通して対応する前記サービス提供ＧＰＲＳサポートノードに位置登録要求を送信するに際して、自装置が直前の過去に在圏していたノードを表すコードが含まれている一時的なユーザ識別子のうちの少なくとも前記コードの部分を、当該対応する前記サービス提供ＧＰＲＳサポートノードに通知する既往在圏コード通知ステップと、
当該対応する前記サービス提供ＧＰＲＳサポートノードが、前記既往在圏コード通知ステップで通知された前記コードに基づいて位置登録要求を送信すべき前記移動体サービス交換センタを選択する位置登録要求送信先選択ステップと、
を含んでいることを特徴とする移動通信方法。
【発明の詳細な説明】
【技術分野】
【０００１】
本発明は、Iu Flex方式を採り且つコンバイン位置登録を行う移動通信システム、移動端末装置、サービス提供ＧＰＲＳサポートノード、および、移動通信方法に関し、特に、位置登録時において該当ノード間で必要となる信号の授受を低減した、移動通信システム、移動端末装置、サービス提供ＧＰＲＳサポートノード、および、移動通信方法に関する。
【背景技術】
【０００２】
移動通信システムは、３ＧＰＰ／ＧＳＭＡ等の国際標準化機関によって、通信プロトコルの標準化、ネットワーク設定情報の共有、相互接続試験条件の標準化等が実施されてきた。
移動通信システムにおけるネットワークの方式に関しては、ＨＬＲ（Home Location Register）方式とＶＬＲ（Visitor Location Register）方式が規定されている。
【０００３】
ＨＬＲ方式は、移動端末装置の位置情報と加入者情報を、交換機（Mobile Switching Center、以下「ＭＳＣ」と表記）と独立したＨＬＲにおいて管理する方式である。
ＶＬＲ方式は、位置登録を契機に、交換機毎に付帯するＶＬＲに加入者情報をＨＬＲからダウンロードし、移動機の位置情報と加入者情報を管理する方式である。
ＰＤＣ（Personal Digital Cellular）システムではＨＬＲ方式が採られ、ＵＭＴＳ（Universal Mobile Telecommunications System）ではＶＬＲ方式が採られている（例えば、非特許文献１参照）。
【０００４】
上述のＶＬＲ方式では、Iu Flexと呼ばれる分散処理方式が提案されている（例えば、非特許文献２参照）。
Iu Flexは、複数の各ＲＮＣが複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれと選択的に接続され得る形でＣＮと接続されることを可能にした方式である。
【０００５】
ここに、ＲＮＣ(Radio Network Controller) はＮｏｄｅＢ（基地局装置）の制御を行う無線ネットワーク制御装置である。また、ＣＮ（Core Network）はＭＳＣ（Mobile Switching Centre）およびＳＧＳＮ（Serving GPRS（General Packet Radio Service）Support Node）を含むネットワークである。
この複数のＳＧＳＮが共通に管理する複数のＲＮＣの集合や、複数のＭＳＣが共通に管理する複数のＲＮＣの集合をプールエリア（pool-area）と称する。
【０００６】
Iu Flexでは、ＣＮにおける何れかのノードが故障した場合でも、当該ノードに関わる特定エリアの全断を回避することができる。また、制御信号の授受や設備の規模の増加を抑制することが可能になるといった利点がある。
図６は、Iu Flex方式を採り、且つ、コンバイン位置登録を行う仕様の、従来の移動通信システムの構成を表す構成図である。
【０００７】
コンバイン位置登録（Combined Update）では、移動端末装置からＣＳドメインに対して位置登録を行う場合に、ＰＳドメインのＳＧＳＮが位置登録要求を
受信し、ＳＧＳＮがＣＳドメインに対して位置登録処理を行わせる。
図６を参照して説明する状況は、移動端末装置２０が位置登録エリア１１０に属する位置（Ｐ１）から位置登録エリア１２０に属する位置（Ｐ２）に移動する場合を仮定している。
【０００８】
位置登録エリア１１０は、ここを賄う複数のＲＡＮ（Radio Access Network）ノード１１１、１１２、１１３、および、１１４によって画定されている。
これらのＲＡＮノード１１１、１１２、１１３、および、１１４のうちＲＡＮノード１１１および１１２は一のＲＮＣ１３１の管理下に置かれ、また、ＲＡＮノード１１３および１１４は他のＲＮＣ１３２の管理下に置かれている。
【０００９】
そして、これらＲＮＣ１３１および１３２に対応する、ＳＧＳＮ（＃１−１）１５１およびＳＧＳＮ（＃１−２）１５２が設けられている。
図６の移動通信システムはIu Flex方式を採るものであるため、ＲＮＣ１３１および１３２は、それぞれがＳＧＳＮ（＃１−１）１５１およびＳＧＳＮ（＃１−２）１５２のうち何れのＳＧＳＮとも選択的に接続可能である。
【００１０】
また、図６に例示された状態では、ＳＧＳＮ（＃１−１）１５１およびＳＧＳＮ（＃１−２）１５２のうちＳＧＳＮ（＃１−１）１５１（これに付帯するＶＬＲ）に移動端末装置２０に関する情報であるプロファイル（図において「ＰＦ」と表記）が保持されている。
位置登録エリア１１０に関する系について上述したと同様に、位置登録エリア１２０は、ここを賄う複数のＲＡＮノード１２１、１２２、１２３、および、１２４によって画定されている。これらのＲＡＮノード１２１、１２２、１２３、および、１２４は、例えば、移動端末装置とネットワークとを結ぶＮｏｄｅＢである。
【００１１】
これらのＲＡＮノード１２１、１２２、１２３、および、１２４のうちＲＡＮノード１２１および１２２は一のＲＮＣ１４１の管理下に置かれ、また、ＲＡＮノード１２３および１２４は他のＲＮＣ１４２の管理下に置かれている。
そして、これらＲＮＣ１４１および１４２に対応する、ＳＧＳＮ（＃２−１）１６１およびＳＧＳＮ（＃２−２）１６２が設けられている。
【００１２】
既述のとおり、この移動通信システムはIu Flex方式をとるものであるため、ＲＮＣ１４１および１４２は、それぞれがＳＧＳＮ（＃２−１）１６１およびＳＧＳＮ（＃２−２）１６２のうち何れのＳＧＳＮとも選択的に接続可能である。
そして、上述のＳＧＳＮ（＃１−１）１５１、ＳＧＳＮ（＃１−２）１５２、ＳＧＳＮ（＃２−１）１６１、および、ＳＧＳＮ（＃２−２）１６２は、これらに対応して設けたＭＳＣ（＃１）１７１およびＭＳＣ（＃２）１８１の何れとも選択的に接続可能である。
【００１３】
図６に例示された状態では、ＭＳＣ（＃２）１８１（これに付帯するＶＬＲ）にＨＬＲ１９０からダウンロードした移動端末装置２０に関する情報であるプロファイルＰＦが既に保持されている。
図６において、移動端末装置２０は、上述の位置（Ｐ１）から位置（Ｐ２）に移動するに伴って、位置登録エリア１２０におけるＲＡＮノード１２１、１２２、１２３、および、１２４のうちの何れかのＲＡＮノード（ここではＲＡＮノード１２１）を通してＲＮＣ１４１に位置登録要求を送信する（矢線A61）。この位置登録要求を受けたＲＮＣ１４１は、本例の場合、ＳＧＳＮ（＃２−１）１６１にその位置登録要求を送信する（矢線A62）。
【００１４】
ＳＧＳＮ（＃２−１）１６１は、状況に応じて、ＭＳＣ（＃１）１７１およびＭＳＣ（＃２）１８１のうちの何れかのＭＳＣに位置登録要求を送信することになる。
そして、ＳＧＳＮ（＃２−１）１６１がプロファイルＰＦが保持されていないＭＳＣ（＃１）１７１に位置登録要求を送信した場合には（矢線A63）、ＭＳＣ（＃１）１７１はＨＬＲ１９０にアクセスして、そこからプロファイルＰＦをダウンロードする必要が生じる。
【００１５】
一方、ＳＧＳＮ（＃２−１）１６１がプロファイルＰＦが保持されているＭＳＣ（＃２）１８１に位置登録要求を送信した場合には（破線の矢線A64）、既述のとおりＭＳＣ（＃２）１８１には移動端末装置２０に関するプロファイルＰＦが既に保持されている。従って、ＭＳＣ（＃２）１８１は、改めてＨＬＲ１９０にアクセスして、そこからプロファイルＰＦをダウンロードすることはせず、ＳＧＳＮ（＃２−１）１６１がＨＬＲ１９０にアクセスする。こうして、信号の流れが、ＭＳＣ→ＨＬＲ→ＭＳＣ→ＳＧＳＮであったところ、ＳＧＳＮ→ＨＬＲ→→ＳＧＳＮとすることが可能になる。また、信号の内容も、ＭＳＣで保持するプロファイルが不要となるため削減される。
【００１６】
次に、図７を参照して図６の移動通信システムの動作について更に詳細に説明する。
図７は、図６の移動通信システムにおけるコンバイン位置登録の動作を表すシーケンスチャートである。
移動端末装置２０からＲＮＣ１４１に「Initial Direct Transfer」と表記の初期設定を行う信号が送られると（ステップＳ７０１）、これを受けたＲＮＣ１４１では、「Initial UE Message」と表記のＲＮＣとＭＳＣ/ＳＧＳＮの間の初期設定を行う信号を、サービス提供ＧＰＲＳサポートノードであるＳＧＳＮ（＃２−１）１６１に供給する（ステップＳ７０２）。
【００１７】
次いで、移動端末装置２０は、既述のコンバイン位置登録を行うべく、移動端末装置からＳＧＳＮ（＃２−１）１６１へのＰＳドメインの位置登録信号である「Routing Area Update Request」を送信する（ステップＳ７０３）。
ステップＳ７０３では「Routing Area Update Request」の信号に伴って、図中、便宜上ＣＳ−ＮＲＩと表記のように、ＣＳドメインのＮＲＩ（Network Resource Identifier）をサービス提供ＧＰＲＳサポートノードであるＳＧＳＮ（＃２−１）１６１に送る。
【００１８】
ステップＳ７０３で、ＮＲＩ（ＣＳ−ＮＲＩ）を受けたＳＧＳＮ（＃２−１）１６１は、このＮＲＩ（ＣＳ−ＮＲＩ）によって表されているＭＳＣを選択する（ステップＳ７０４）。
ステップＳ７０４の選択結果が新たに在圏することになったＭＳＣである場合（ＭＳＣ（＃１）１７１である場合）には、このＭＳＣにコンバイン位置登録要求信号である「Combined Location Update Request」が送られる（ステップＳ７０５）。
ステップＳ７０５で「Combined Location Update Request」なるコンバイン位置登録要求信号を受けたＭＳＣ（＃１）１７１は、自己のＶＬＲに移動端末装置のプロファイルを保有していないため、ＨＬＲ１９０に位置登録要求信号を送信する（ステップＳ７０６）。
【００１９】
ステップＳ７０６でＭＳＣ（＃１）１７１から位置登録要求信号を受けたＨＬＲ１９０はＭＳＣ（＃１）１７１にプロファイルデータ（ＰＦ）を供給する（ステップＳ７０７）。
ステップＳ７０７でＨＬＲ１９０からＭＳＣ（＃１）１７１へのプロファイルデータ（ＰＦ）のダウンロードが完了すると、ＨＬＲ１９０は、ＭＳＣ（＃２）１８１（これに付帯するＶＬＲ）が保有しているプロファイルＰＦを削除させる制御信号をＭＳＣ（＃２）１８１に送る（ステップＳ７０８）。
【００２０】
一方、ステップＳ７０４で、ＳＧＳＮ（＃２−１）１６１が、ステップＳ７０３で受けたＮＲＩによって表されているＭＳＣは移動端末装置２０が直前の過去に在圏していたＭＳＣ（＃２）１８１であると判定して、これを選択した場合には、このＭＳＣ（＃２）１８１に「Combined Location Update Request」なるコンバイン位置登録要求信号が送られる（ステップＳ７０９）。
既述のとおり、ＭＳＣ（＃２）１８１（これに付帯するＶＬＲ）にはプロファイルＰＦを保有しているため、敢て、ＨＬＲ１９０に位置登録要求信号を送ってプロファイルデータ（ＰＦ）をダウンロードして取得することを要しない。
【先行技術文献】
【非特許文献】
【００２１】
【非特許文献１】3GPP標準仕様 TS 23.002 「Network Architecture」
【非特許文献２】3GPP標準仕様 TS 23.236 「Intra-domain connection of Radio Access Network (RAN) nodes to multiple Core Network (CN) nodes」
【非特許文献３】3GPP標準仕様 TS 25.331 「Radio Resource Control (RRC) protocol specification」
【発明の概要】
【発明が解決しようとする課題】
【００２２】
以上に説明したとおり、従来のIu Flex方式を適用し且つコンバイン位置登録（Combined Update）を行う移動通信システムでは、移動端末装置が位置登録を行うに際し、往々にして、プロファイルが保持されていないＭＳＣに対して位置登録要求が上げられることになり、このＭＳＣから更にＨＬＲに対して位置登録要求が上げられる結果、ＭＳＣとＨＬＲとの間で位置登録処理が実行されることになる。
このため、当該移動通信システムにおける位置登録処理のための制御信号の授受が頻繁に行われ、本来の通信に係るリソースの逼迫を招来してしまうおそれがあった。
【００２３】
本発明は上述のような状況に鑑みてなされたものであり、Iu Flex方式を適用し且つコンバイン位置登録（Combined Update）を行う移動通信システムにおいて、本来の通信に係るリソースを徒に消費してリソースの逼迫を招来してしまう虞を払拭した、移動通信システム、移動端末装置、サービス提供ＧＰＲＳサポートノード、および、移動通信方法を提供することを目的としている。
【課題を解決するための手段】
【００２４】
上記課題を解決するために、以下に列挙するような技術を提案する。
（１）在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムであって、
前記移動端末装置は、該当する何れかの前記無線ネットワーク制御装置を通して対応する前記サービス提供ＧＰＲＳサポートノードに位置登録要求を送信するに際して、自装置が直前の過去に在圏していたノードを表すコードが含まれている一時的なユーザ識別子のうちの少なくとも前記コードの部分を、当該対応する前記サービス提供ＧＰＲＳサポートノードに通知し、
当該対応する前記サービス提供ＧＰＲＳサポートノードは、該通知された一時的なユーザ識別子における前記コードによって表された前記移動体サービス交換センタに位置登録要求を送信することを特徴とする移動通信システム。
【００２５】
上記（１）の移動通信システムでは、その移動端末装置が、該当する何れかの前記無線ネットワーク制御装置を通して対応する前記サービス提供ＧＰＲＳサポートノードに位置登録要求を送信するに際して、自装置が直前の過去に在圏していたノードを表すコードが含まれている一時的なユーザ識別子のうちの少なくとも前記コードの部分を、当該対応する前記サービス提供ＧＰＲＳサポートノードに通知する。
【００２６】
また、その当該対応する前記サービス提供ＧＰＲＳサポートノードが、該通知された一時的なユーザ識別子における前記コードによって表された前記移動体サービス交換センタに位置登録要求を送信する。
これにより、移動端末装置の情報であるプロファイルを保有しないノード（ＭＳＣ）に位置登録要求が発されてＨＬＲとの交信を行わなくてはならない状況を招来する機会が低減される。
【００２７】
（２）在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムに適用される前記移動端末装置であって、
自装置が直前の過去に在圏していたノードを表すコードが含まれている一時的なユーザ識別子を保持するユーザ識別子保持部と、
対応する前記サービス提供ＧＰＲＳサポートノードに位置登録要求を送信するに際して、前記ユーザ識別子保持部に保持された該当するユーザ識別子のうちの少なくとも前記コードの部分を、該当する前記サービス提供ＧＰＲＳサポートノードに通知する既往在圏ノード情報通知部と、
を備えていることを特徴とする移動端末装置。
【００２８】
上記（２）の移動端末装置では、その保持するユーザ識別子保持部が、自装置が直前の過去に在圏していたノードを表すコードが含まれている一時的なユーザ識別子を保持する。
また、その既往在圏ノード情報通知部が、対応する前記サービス提供ＧＰＲＳサポートノードに位置登録要求を送信するに際して、前記ユーザ識別子保持部に保持された該当するユーザ識別子のうちの少なくとも前記コードの部分を、該当する前記サービス提供ＧＰＲＳサポートノードに通知する。
【００２９】
これにより、前記サービス提供ＧＰＲＳサポートノードは、移動端末装置が在圏しそのプロファイルが既に保持されているノードに対して優先的に位置登録要求を送信することができ、プロファイルを保有しないノード（ＭＳＣ）に位置登録要求が発されてＨＬＲとの交信を行わなくてはならない状況を招来する機会が低減される。
【００３０】
（３）在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムに適用される前記サービス提供ＧＰＲＳサポートノードであって、
該当する前記無線ネットワーク制御装置を通して通知される、前記移動端末装置が直前の過去に在圏していたノードを表すコードが含まれている一時的なユーザ識別子のうちの少なくとも前記コードの部分を受ける既往在圏ノード情報コード受信部と、
前記既往在圏ノード情報コード受信部で受けた前記コードに基づいて当該位置登録要求の送信先とする前記移動体サービス交換センタを選択する位置登録要求送信先選択部と、
を備えていることを特徴とするサービス提供ＧＰＲＳサポートノード。
【００３１】
上記（３）のサービス提供ＧＰＲＳサポートノードでは、その位置登録要求送信先選択部が、該当する前記無線ネットワーク制御装置を通して通知される、前記移動端末装置が直前の過去に在圏していたノードを表すコードが含まれている一時的なユーザ識別子のうちの少なくとも前記コードの部分を受ける。
また、その位置登録要求送信先選択部が、前記既往在圏ノード情報コード受信部で受けた前記コードに基づいて当該位置登録要求の送信先とする前記移動体サービス交換センタを選択する。
【００３２】
これにより、前記サービス提供ＧＰＲＳサポートノードは、移動端末装置が在圏しそのプロファイルが既に保持されているノードに対して優先的に位置登録要求を送信することができ、プロファイルを保有しないノード（ＭＳＣ）に位置登録要求が発されてＨＬＲとの交信を行わなくてはならない状況を招来する機会が低減される。
【００３３】
（４）在圏する移動端末装置と選択的に結ばれる複数の各無線ネットワーク制御装置（ＲＮＣ）と、複数のサービス提供ＧＰＲＳサポートノード（ＳＧＳＮ）、ゲートウェイＧＰＲＳサポートノード（ＧＧＳＮ）、または、移動体サービス交換センタ（ＭＳＣ）のそれぞれとが選択的に接続され得るIu Flex方式を採り、且つ、移動端末装置からＣＳドメインの移動体サービス交換センタに対して位置登録を行う場合に、ＰＳドメインのサービス提供ＧＰＲＳサポートノードが位置登録要求を受信し、サービス提供ＧＰＲＳサポートノードがＣＳドメインに対して位置登録処理を実行させるコンバイン位置登録を行う移動通信システムにおける移動通信方法であって、
前記移動端末装置が、該当する何れかの前記無線ネットワーク制御装置を通して対応する前記サービス提供ＧＰＲＳサポートノードに位置登録要求を送信するに際して、自装置が直前の過去に在圏していたノードを表すコードが含まれている一時的なユーザ識別子のうちの少なくとも前記コードの部分を、当該対応する前記サービス提供ＧＰＲＳサポートノードに通知する既往在圏コード通知ステップと、
当該対応する前記サービス提供ＧＰＲＳサポートノードが、前記既往在圏コード通知ステップで通知された前記コードに基づいて位置登録要求を送信すべき前記移動体サービス交換センタを選択する位置登録要求送信先選択ステップと、
を含んでいることを特徴とする移動通信方法。
【００３４】
上記（４）の移動通信方法では、その既往在圏コード通知ステップで、前記移動端末装置が、該当する何れかの前記無線ネットワーク制御装置を通して対応する前記サービス提供ＧＰＲＳサポートノードに位置登録要求を送信するに際して、自装置が直前の過去に在圏していたノードを表すコードが含まれている一時的なユーザ識別子のうちの少なくとも前記コードの部分を、当該対応する前記サービス提供ＧＰＲＳサポートノードに通知する。
【００３５】
更に、その位置登録要求送信先選択ステップで、当該対応する前記サービス提供ＧＰＲＳサポートノードが、前記既往在圏コード通知ステップで通知された前記コードに基づいて位置登録要求を送信すべき前記移動体サービス交換センタを選択する。
これにより、前記サービス提供ＧＰＲＳサポートノードは、移動端末装置が在圏しそのプロファイルが既に保持されているノードに対して優先的に位置登録要求を送信することができ、プロファイルを保有しないノード（ＭＳＣ）に位置登録要求が発されてＨＬＲとの交信を行わなくてはならない状況を招来する機会が低減される。
【発明の効果】
【００３６】
Iu Flex方式を適用し且つコンバイン位置登録（Combined Update）を行う移動通信システムにおける利点は十分に維持しつつ、本来の通信に係るリソースを徒に消費してリソースの逼迫を招来してしまうことのない移動通信システム、移動端末装置、サービス提供ＧＰＲＳサポートノード、および、移動通信方法を実現することができる。
【図面の簡単な説明】
【００３７】
【図１】本発明の一つの実施の形態としての移動通信システムの構成を表す構成図である。
【図２】図１の移動通信システムにおいて、該当ノードの特定に適用される識別子のデータ構造を表す模式図である。
【図３】図１の移動通信システムの動作を表すシーケンスチャートである。
【図４】図１の移動通信システムにおける移動端末装置を例示する機能ブロック図である。
【図５】図１の移動通信システムにおけるサービス提供ＧＰＲＳサポートノードを例示する機能ブロック図である。
【図６】Iu Flex方式による従来の移動通信システムの構成を表す構成図である。
【図７】図６の移動通信システムの動作を表すシーケンスチャートである。
【発明を実施するための形態】
【００３８】
以下に、図面を参照して本発明の実施の形態について詳述することにより、本発明を明らかにする。
（移動通信システム）
図１は、本発明の一つの実施の形態としての移動通信システムの構成を表す構成図である。
図１の移動通信システム１０は、Iu Flex方式を採る。この移動通信システム１０では、移動端末装置からＣＳドメインに対して位置登録を行う場合に、ＰＳドメインのＳＧＳＮが受信し、ＳＧＳＮがＣＳドメインに対して位置登録処理を行う、所謂コンバイン位置登録（Combined Update）を行う。
図１を参照して説明する状況は、移動端末装置２０が位置登録エリア１１０に属する位置（Ｐ１）から位置登録エリア１２０に属する位置（Ｐ２）に移動する場合を仮定している。
【００３９】
位置登録エリア１１０は、このエリア１１０を賄う複数のＲＡＮ（Radio Access Network）ノード１１１、１１２、１１３、および、１１４が設置されている。これらのＲＡＮノード１１１、１１２、１１３、および、１１４は、例えば、移動端末装置とネットワークとを結ぶＮｏｄｅＢである。
これらのＲＡＮノード１１１、１１２、１１３、および、１１４のうちＲＡＮノード１１１および１１２は一のＲＮＣ１３１の管理下に置かれ、また、ＲＡＮノード１１３および１１４は他のＲＮＣ１３２の管理下に置かれている。
【００４０】
そして、これらＲＮＣ１３１および１３２に対応する、ＳＧＳＮ（＃１−１）１５１およびＳＧＳＮ（＃１−２）１５２が設けられている。
図１の移動通信システムはIu Flex方式をとるものであるため、ＲＮＣ１３１および１３２は、それぞれがＳＧＳＮ（＃１−１）１５１およびＳＧＳＮ（＃１−２）１５２のうち何れのＳＧＳＮとも選択的に接続可能である。
【００４１】
また、図１に例示された状態では、ＳＧＳＮ（＃１−１）１５１およびＳＧＳＮ（＃１−２）１５２のうちＳＧＳＮ（＃１−１）１５１（これに付帯するＶＬＲ）に移動端末装置２０に関する情報であるプロファイル（図において「ＰＦ」と表記）が保持されている。
位置登録エリア１１０に関する系について上述したと同様に、位置登録エリア１２０は、このエリア１２０を賄う複数のＲＡＮ（Radio Access Network）ノード１２１、１２２、１２３、および、１２４が設置されている。これらのＲＡＮノード１２１、１２２、１２３、および、１２４は、例えば、移動端末装置とネットワークとを結ぶＮｏｄｅＢである。
【００４２】
これらのＲＡＮノード１２１、１２２、１２３、および、１２４のうちＲＡＮノード１２１および１２２は一のＲＮＣ１４１の管理下に置かれ、また、ＲＡＮノード１２３および１２４は他のＲＮＣ１４２の管理下に置かれている。
そして、これらＲＮＣ１３１および１４２に対応する、ＳＧＳＮ（＃２−１）１６１およびＳＧＳＮ（＃２−２）１６２が設けられている。
【００４３】
既述のとおり、この移動通信システムはIu Flex方式をとるものであるため、ＲＮＣ１４１および１４２は、それぞれがＳＧＳＮ（＃２−１）１６１およびＳＧＳＮ（＃２−２）１６２のうち何れのＳＧＳＮとも選択的に接続可能である。
そして、上述のＳＧＳＮ（＃１−１）１５１、ＳＧＳＮ（＃１−２）１５２、ＳＧＳＮ（＃２−１）１６１、および、ＳＧＳＮ（＃２−２）１６２は、これらに対応して設けたＭＳＣ（＃１）１７１およびＭＳＣ（＃２）１８１の何れとも選択的に接続可能な仕様ではあるが、本願発明の実施の形態では、この選択について、後述するような特徴的な手法を適用している。
【００４４】
図１に例示された状態では、ＭＳＣ（＃２）１８１（これに付帯するＶＬＲ）にＨＬＲ１９０からダウンロードした移動端末装置２０に関するプロファイルＰＦが既に保持されている。
図１において、移動端末装置２０は、上述の位置（Ｐ１）から位置（Ｐ２）に移動するに伴って、位置登録エリア１２０におけるＲＡＮノード１２１、１２２、１２３、および、１２４のうちの何れかのＲＡＮノード（ここではＲＡＮノード１２１）を通してＲＮＣ１４１に位置登録要求を送信する（矢線Ａ１１）。
【００４５】
この位置登録要求を受けたＲＮＣ１４１は、本例の場合、ＳＧＳＮ（＃２−１）１６１にその位置登録要求を送信する（矢線Ａ１２）。
ここで、本願発明の実施の形態では、特に、（矢線Ａ１１）→（矢線Ａ１２）の経路、即ち、移動端末装置２０→ＲＮＣ１４１→ＳＧＳＮ（＃２−１）１６１の位置登録要求の転送において、この位置登録要求には、移動端末装置に付与されている一時的なユーザ識別子であるＴＭＳＩ（Temporary Mobile Subscriber Identity）およびＰ−ＴＭＳＩ(Packet Temporary Mobile Station Identifier)が付帯している。
【００４６】
図２は、上述の一時的なユーザ識別子であるＴＭＳＩ（Ｐ−ＴＭＳＩ）のビットアロケーションを示す模式図である。
ＴＭＳＩ（Ｐ−ＴＭＳＩ）は、３ＧＰＰ標準仕様  ＴＳ ２３．２３６に（複数の）様式が既定されている。図２に例示のビットアロケーションは、全３２ビット（第０〜第３１ビット）のうち、図示の１０ビット（第１４〜第２３ビット）の位置に、直前の過去に在圏していたノード（ＭＳＣ、ＳＧＳＮ）を表すＮＲＩ（Network Resource Identifier）が埋め込まれている。即ち、このＮＲＩは、直前の過去に在圏し自装置（移動端末装置）のプロファイルＰＦを保持しているノード（ＭＳＣ、ＳＧＳＮ）を表している。
【００４７】
上述のようにして（矢線Ａ１２の経路で）ＲＮＣ１４１から位置登録要求を受けたＳＧＳＮ（＃２−１）１６１は、この位置登録要求に付帯したＴＭＳＩ中のＮＲＩを判読する。そして、判読した結果、位置登録要求を上げてきた移動端末装置２０のプロファイルＰＦを保持しているＭＳＣは、本例の場合、ＭＳＣ（＃２）１８１であることを割り出し、このＭＳＣ（＃２）１８１に位置登録要求を送信する（矢線Ａ１３の経路）。
【００４８】
図６を参照して既述の従来の移動通信システムでは、ＲＮＣ１４１から位置登録要求を受けたＳＧＳＮ（＃２−１）１６１は、状況に応じて、ＭＳＣ（＃１）１７１およびＭＳＣ（＃２）１８１のうちの何れかのＭＳＣに位置登録要求を送信する。これに対し、本願発明の実施の形態では、上述のように、位置登録要求に付帯したＴＭＳＩ（Ｐ−ＴＭＳＩ）中のＮＲＩから判読されるＭＳＣを特定し、必ず該特定したＭＳＣを選択して位置登録要求を上げことになる。
従って、ＭＳＣ（＃２）１８１は、既述の従来技術のように、往々にして、改めてＨＬＲ１９０にアクセスして、そこからプロファイルＰＦをダウンロードする必要が生じるといった不都合が本質的に生じない。
【００４９】
次に、図３を参照して図１の移動通信システムの動作について更に詳細に説明する。
図３は、図１の移動通信システムの動作を表すシーケンスチャートである。
移動端末装置２０からＲＮＣ１４１に「Initial Direct Transfer」と表記の初期設定を行う信号が送られると（ステップＳ３０１）、これを受けたＲＮＣ１４１では、「Initial UE Message」と表記のＲＮＣとＭＳＣ/ＳＧＳＮの間の初期設定を行う信号を、サービス提供ＧＰＲＳサポートノードであるＳＧＳＮ（＃２−１）１６１に供給する（ステップＳ３０２）。
【００５０】
次いで、移動端末装置２０は、既述のコンバイン位置登録を行うべく、移動端末装置からＳＧＳＮ（＃２−１）１６１へのＰＳドメインの位置登録信号である「Routing Area Update Request」が送信される（ステップＳ３０３）。
ステップＳ３０３では「Routing Area Update Request」の信号に伴って、図中、便宜上ＣＳ−ＮＲＩと表記のように、ＣＳドメインのＮＲＩ（Network Resource Identifier）をサービス提供ＧＰＲＳサポートノードであるＳＧＳＮ（＃２−１）１６１に送る。
【００５１】
ステップＳ３０３で、ＮＲＩ（ＣＳ−ＮＲＩ）を受けたＳＧＳＮ（＃２−１）１６１は、このＮＲＩによって表されているＭＳＣを選択する（ステップＳ３０４）。
既述のように、このステップＳ３０４におけるＭＳＣの選択処理では、ＳＧＳＮ１６１が、移動端末装置に付与されている一時的なユーザ識別子であるＴＭＳＩ（Ｐ−ＴＭＳＩ）中のＮＲＩを判読する。そして、判読した結果、位置登録要求を上げてきた移動端末装置２０のプロファイルＰＦを保持しているＭＳＣは、本例の場合、直前の過去に在圏していたＭＳＣ（＃２）１８１であることを割り出し、このＭＳＣ（＃２）１８１に「Combined Location Update Request」なるコンバイン位置登録要求信号を送信する（ステップＳ３０５）。
【００５２】
既述のとおり、ＭＳＣ（＃２）１８１（これに付帯するＶＬＲ）にはプロファイルＰＦが保有されているため、敢て、ＨＬＲ等に位置登録要求信号を送ってプロファイルデータ（ＰＦ）をダウンロードして取得することを要しない。
従って、本実施の形態の移動通信システムでは、Iu Flex方式を適用し且つコンバイン位置登録（Combined Update）を行うことの利点は十分に享受しつつ、本来の通信に係るリソースを徒に消費してリソースの逼迫を招来してしまうことが回避される。
【００５３】
図４は、図１の移動通信システムにおける移動端末装置を例示する機能ブロック図である。
図４の移動端末装置は、図１における移動端末装置２０の構成を表す機能ブロック図であるが、図４では移動端末装置に改めて符合４００を割当てている。
図４において、移動端末装置４００は、ユーザの操作を受け付けるための操作部４０１、ディスプレイ部４０２、マイクロフォンおよびスピーカを含む音声インターフェース部４０３、ＲＦ送受信部４０４、および、記憶部４０５が、バス４０６を通してシステムコントローラ４０７と結ばれ、このシステムコントローラ４０７によって統括的に管理される。
【００５４】
システムコントローラ４０７は、移動端末装置としての所定の種々の機能を、自己の記憶、演算、制御の各機能によって関連するデバイスを制御することにより全うさせる。
記憶部４０５には自装置（移動端末装置４００）が直前の過去に在圏していたノードを表すコードが含まれている一時的なユーザ識別子を保持するユーザ識別子保持部４０８が設けられている。
また、システムコントローラ４０７の該当する機能部とＲＦ送受信部４０４とによって、対応するＳＧＳＮに位置登録要求を送信するに際して、ユーザ識別子保持部４０８に保持された該当するユーザ識別子のうちの少なくとも前記コードの部分を、該当するＳＧＳＮに通知する既往在圏ノード情報通知部４０９が構成されている。
【００５５】
図５は、図１の移動通信システムにおけるサービス提供ＧＰＲＳサポートノード（ＳＧＳＮ）を例示する機能ブロック図である。
図５のＳＧＳＮは、図１におけるＳＧＳＮ１３１および１３２の構成を表す機能ブロック図であるが、図５ではＳＧＳＮに改めて符合５００を割当てている。
図５において、ＳＧＳＮ５００は、ＲＮＣ（＃１）および（＃２）とそれぞれ接続するためのＲＮＣ（＃１）インターフェース部５０１およびＲＮＣ（＃２）インターフェース部５０２、ＭＳＣ（＃１）および（＃２）とそれぞれ接続するためのＭＳＣ（＃１）インターフェース部５０３およびＭＳＣ（＃２）インターフェース部５０４、図１には示されていないＧＧＳＮ（＃１）および（＃２）とのインターフェース部であるＧＧＳＮ（＃１）インターフェース部５０５およびＧＧＳＮ（＃２）インターフェース部５０６、および、記憶部５０７が、バス５０８を通してシステムコントローラ５０９と結ばれ、このシステムコントローラ５０９によって管理される。
【００５６】
システムコントローラ５０９は、ＳＧＳＮとして所定の種々の機能を、自己の記憶、演算、制御の機能によって関連するデバイスを制御することにより全うする。
また、システムコントローラ５０９の該当する機能部とＲＮＣ（＃１）インターフェース部５０１およびＲＮＣ（＃２）インターフェース部５０２によって、既往在圏ノード情報受信部５１０（一点鎖線にて図示）が構成されている。この既往在圏ノード情報受信部５１０は、該当するＲＮＣを通して通知される、移動端末装置４００が直前の過去に在圏していたノード（ＭＳＣ）を表すコードが含まれている一時的なユーザ識別子のうちの少なくとも前記コードの部分を受ける。
【００５７】
更に、システムコントローラ５０９の該当する機能部とＭＳＣ（＃１）インターフェース部５０３およびＭＳＣ（＃２）インターフェース部５０４によって、位置登録要求送信先選択部５１１が構成されている。この位置登録要求送信先選択部５１１は、既往在圏ノード情報コード受信部５１０で受けた前記コードに基づいて当該位置登録要求の送信先とするＭＳＣを選択する。
【００５８】
記憶部５０７には既往在圏ノード情報保持部５１２が設けられ、ここで、既往在圏ノード情報受信部５１０で受信した既往在圏ノード情報をシステムコントローラ５０９の管理下で所要の期間保持する。
また、記憶部５０７にはプロファイル情報ＰＦを保持するＰＦ情報持部５１３が設けられ、ここで、プロファイル情報ＰＦをシステムコントローラ５０９の管理下で所要の期間保持する。
【符号の説明】
【００５９】
１０…………………………………………移動通信システム
２０…………………………………………移動端末装置
１１０………………………………………位置登録エリア
１１１、１１２、１１３、１１４………ＲＡＮノード
１２０………………………………………位置登録エリア
１２１、１２２、１２３、１２４………ＲＡＮノード
１３１、１３２、１４１、１４２………ＲＮＣ
１５１、１５２、１６１、１６２………ＳＧＳＮ
１７１、１８１……………………………ＭＳＣ
１９０………………………………………ＨＬＲ
４００………………………………………移動端末装置
４０８………………………………………ユーザ識別子保持部
４０９………………………………………既往在圏ノード情報通知部
５００………………………………………ＳＧＳＮ
５１０………………………………………既往在圏ノード情報受信部
５１１………………………………………位置登録要求送信先選択部
【図１】
2012178630.tif 000003
【図２】
2012178630.tif 000004
【図３】
2012178630.tif 000005
【図４】
2012178630.tif 000006
【図５】
2012178630.tif 000007
【図６】
2012178630.tif 000008
【図７】
2012178630.tif 000009